(57)【特許請求の範囲】
【請求項１】
原稿に光を照射する照射手段と、原稿に対向する位置で前記照射手段を所定の移動方向に移動させる移動手段と、原稿からの反射光を受光する受光手段と、原稿からの反射光を前記受光手段へ導く光学系とを備え、原稿に記録された画像を読み取る原稿読取装置において、
前記照射手段は、前記移動方向に交差する方向を長手方向とした線状の第１光源及び第２光源を前記移動方向に並べて構成してあり、
前記光学系は、原稿からの反射光の内、前記第１光源及び前記第２光源の間を通過する光を前記受光手段へ導くように構成してあり、
前記第１光源及び前記第２光源の光量の合計を一定にしながら、前記移動手段が移動させる前記照射手段の位置に応じて、前記第１光源及び前記第２光源の光量を個別に制御する光量制御手段を備えること
を特徴とする原稿読取装置。
【請求項２】
前記光量制御手段は、
前記移動手段が移動させる前記照射手段の位置が、原稿の前記移動方向の中央に光を照射するための位置から前記第１光源側へ所定距離以上ずれた位置である場合に、前記第１光源及び前記第２光源の光量を同等にする手段と、
前記移動手段が移動させる前記照射手段の位置が、原稿の前記移動方向の中央に光を照射するための位置から前記第１光源側へ所定距離よりも小さい距離だけずれた位置である場合に、前記第２光源の光量を前記第１光源よりも大きくする手段と、
前記移動手段が移動させる前記照射手段の位置が、原稿の前記移動方向の中央に光を照射するための位置から前記第２光源側へ所定距離よりも小さい距離だけずれた位置である場合に、前記第１光源の光量を前記第２光源よりも大きくする手段と、
前記移動手段が移動させる前記照射手段の位置が、原稿の前記移動方向の中央に光を照射するための位置から前記第２光源側へ所定距離以上ずれた位置である場合に、前記第１光源及び前記第２光源の光量を同等にする手段と
を有することを特徴とする請求項１に記載の原稿読取装置。
【請求項３】
前記光量制御手段は、
前記移動手段が移動させる前記照射手段の位置が、原稿の前記移動方向の中央に光を照射するための位置から前記第１光源側へずれた位置である場合に、前記第２光源の光量を前記第１光源よりも大きくする手段と、
前記移動手段が移動させる前記照射手段の位置が、原稿の前記移動方向の中央に光を照射するための位置から前記第２光源側へずれた位置である場合に、前記第１光源の光量を前記第２光源よりも大きくする手段と
を有することを特徴とする請求項１に記載の原稿読取装置。
【請求項４】
原稿の前記移動方向のサイズを検出する原稿サイズ検出手段と、
該原稿サイズ検出手段が検出した原稿のサイズから、原稿の前記移動方向の中央に光を照射するための前記照射手段の位置を求める手段と
を更に備えることを特徴とする請求項２又は３に記載の原稿読取装置。
【請求項５】
原稿の前記移動方向の端に光を照射するための前記照射手段の位置を求める手段を更に備え、
前記光量制御手段は、
前記移動手段が移動させる前記照射手段の位置が、原稿の前記移動方向の端に光を照射するための位置である場合に、前記第１光源及び前記第２光源の内、原稿の外側寄りにある光源の光量を他方よりも大きくする手段と
を有することを特徴とする請求項１から４までのいずれか一つに記載の原稿読取装置。
【請求項６】
請求項１から５までのいずれか一つに記載の原稿読取装置と、
該原稿読取装置が原稿から読み取った画像を形成する手段と
を備えることを特徴とする画像形成装置。
【発明の詳細な説明】
【技術分野】
【０００１】
本発明は、原稿画像を光学的に読み取る原稿読取装置に関し、より詳しくは、原稿がブック原稿の場合でも、原稿画像を読み取った画像の質の劣化を軽減させることができる原稿読取装置及び画像形成装置に関する。
【背景技術】
【０００２】
原稿に記録された原稿画像を光学的に読み取って画像データを生成する原稿読取装置は、スキャナ装置又は複写装置として広く利用されている。図１５は、従来の原稿読取装置の構成を示す模式的断面図である。原稿読取装置は、原稿が載置される透光性の原稿台９８と、光源９１、リフレクタ９２及び第１ミラー９３を有する光源ユニット９０と、第２ミラー９４と、第３ミラー９５と、レンズ９６と、イメージセンサ９７とを備えている。光源９１は、ハロゲンランプ又はキセノンランプ等を用いたライン状の光源であり、図１５は光源９１のラインに垂直な断面を示している。イメージセンサ９７は、ＣＣＤ（Charge Coupled Device ）センサ又はＣＭＯＳ（Complementary Metal Oxide Semiconductor）センサ等のライン状に構成された光センサである。光源９１のラインに沿った方向を主走査方向と言い、光源９１のラインに垂直な方向を副走査方向と言う。図１５では、紙面に対して垂直な方向を主走査方向、左右方向を副走査方向としている。
【０００３】
光源９１からの光及びリフレクタ９２で反射した光は、原稿台９８上の原稿に照射され、原稿で反射した光は、第１ミラー９３、第２ミラー９４及び第３ミラー９５で反射され、レンズ９６により結像され、イメージセンサ９７が受光する。図１５中には、光路を矢印で示している。イメージセンサ９７は、受光した光量に応じて、原稿を読み取った１ライン分の画像を表す画像データを出力する。光源ユニット９０は副走査方向に移動し、第２ミラー９４及び第３ミラー９５は光源ユニット９０に同期して半分の速度で副走査方向に移動し、原稿画像がライン単位で順次読み取られる。イメージセンサ９７が出力する画像データから、画像処理によりページ単位の画像データが生成される。原稿読取装置が複写装置である場合は、画像データに基づいた画像記録が行われ、原稿読取装置がスキャナ装置である場合は、外部への画像データの送信が行われる。特許文献１には、画像読取装置の光源として、発光ダイオード（ＬＥＤ）等の複数の点光源を主走査方向に対して平行に配列した光源を構成した技術が開示されている。
【特許文献１】特開２００２−３１４７６０号公報
【発明の開示】
【発明が解決しようとする課題】
【０００４】
原稿読取装置は、全体が原稿台９８に密着できるシート状の原稿を扱うだけでなく、ブック原稿を扱うこともある。図１６は、ブック原稿を扱う従来の原稿読取装置を示す模式図である。ブック原稿を原稿台９８上に載置した場合は、綴じ部が原稿台９８から浮き上がり、ブック原稿中の綴じ部を含んだ一部分が原稿台９８に密着できない。この状態で光源９１から光をブック原稿に照射した場合は、ブック原稿の綴じ部を含んだ部分は光源９１から遠くなるので、この部分への照射光量が他の部分に比べて少なくなる。図１７は、ブック原稿を読み取った従来の画像を示す模式図である。ブック原稿を読み取った一ページ分の画像には、他の部分よりも暗い影の部分が含まれる。ブック原稿の照射光量が少ない部分からは反射光も少なく、影の部分が生成される。
【０００５】
また原稿読取装置は、葉書又は名刺等、記録用紙等の通常のシート一枚の原稿に比べて厚さが大きい厚紙原稿を扱うこともある。厚紙原稿を原稿読取装置で読み取った場合、原稿の端に対応する部分が他の部分よりも暗い影となった画像が読み取られることがある。特許文献１には、原稿画像の走査中、影に対応する部分に光を照射する際に光量を増大させる技術が開示されている。
【０００６】
しかしながら、特許文献１に開示された技術では、原稿画像の走査中に光量を増大させるために光源に余分な電流を流す必要があり、原稿読取装置の消費電力が大きくなるという問題がある。また光量を増大させた際に綴じ部付近の原稿台に密着している部分にも光が照射されるので、ブック原稿を読み取った画像には他の部分よりも明るすぎる部分が含まれるという問題がある。
【０００７】
本発明は、斯かる事情に鑑みてなされたものであって、その目的とするところは、原稿に照射する光量を適切に調整することにより、消費電力を増大させること無く画像の品質を向上させることができる原稿読取装置及び画像形成装置を提供することにある。
【課題を解決するための手段】
【０００８】
本発明に係る原稿読取装置は、原稿に光を照射する照射手段と、原稿に対向する位置で前記照射手段を所定の移動方向に移動させる移動手段と、原稿からの反射光を受光する受光手段と、原稿からの反射光を前記受光手段へ導く光学系とを備え、原稿に記録された画像を読み取る原稿読取装置において、前記照射手段は、前記移動方向に交差する方向を長手方向とした線状の第１光源及び第２光源を前記移動方向に並べて構成してあり、前記光学系は、原稿からの反射光の内、前記第１光源及び前記第２光源の間を通過する光を前記受光手段へ導くように構成してあり、前記第１光源及び前記第２光源の光量の合計を一定にしながら、前記移動手段が移動させる前記照射手段の位置に応じて、前記第１光源及び前記第２光源の光量を個別に制御する光量制御手段を備えることを特徴とする。
【０００９】
本発明に係る原稿読取装置は、前記光量制御手段は、前記移動手段が移動させる前記照射手段の位置が、原稿の前記移動方向の中央に光を照射するための位置から前記第１光源側へ所定距離以上ずれた位置である場合に、前記第１光源及び前記第２光源の光量を同等にする手段と、前記移動手段が移動させる前記照射手段の位置が、原稿の前記移動方向の中央に光を照射するための位置から前記第１光源側へ所定距離よりも小さい距離だけずれた位置である場合に、前記第２光源の光量を前記第１光源よりも大きくする手段と、前記移動手段が移動させる前記照射手段の位置が、原稿の前記移動方向の中央に光を照射するための位置から前記第２光源側へ所定距離よりも小さい距離だけずれた位置である場合に、前記第１光源の光量を前記第２光源よりも大きくする手段と、前記移動手段が移動させる前記照射手段の位置が、原稿の前記移動方向の中央に光を照射するための位置から前記第２光源側へ所定距離以上ずれた位置である場合に、前記第１光源及び前記第２光源の光量を同等にする手段とを有することを特徴とする。
【００１０】
本発明に係る原稿読取装置は、前記光量制御手段は、前記移動手段が移動させる前記照射手段の位置が、原稿の前記移動方向の中央に光を照射するための位置から前記第１光源側へずれた位置である場合に、前記第２光源の光量を前記第１光源よりも大きくする手段と、前記移動手段が移動させる前記照射手段の位置が、原稿の前記移動方向の中央に光を照射するための位置から前記第２光源側へずれた位置である場合に、前記第１光源の光量を前記第２光源よりも大きくする手段とを有することを特徴とする。
【００１１】
本発明に係る原稿読取装置は、原稿の前記移動方向のサイズを検出する原稿サイズ検出手段と、該原稿サイズ検出手段が検出した原稿のサイズから、原稿の前記移動方向の中央に光を照射するための前記照射手段の位置を求める手段とを更に備えることを特徴とする。
【００１２】
本発明に係る原稿読取装置は、原稿の前記移動方向の端に光を照射するための前記照射手段の位置を求める手段を更に備え、前記光量制御手段は、前記移動手段が移動させる前記照射手段の位置が、原稿の前記移動方向の端に光を照射するための位置である場合に、前記第１光源及び前記第２光源の内、原稿の外側寄りにある光源の光量を他方よりも大きくする手段とを有することを特徴とする。
【００１４】
本発明に係る画像形成装置は、本発明に係る原稿読取装置と、該原稿読取装置が原稿から読み取った画像を形成する手段とを備えることを特徴とする。
【００１５】
本発明においては、原稿に光を照射する照射手段は線状の第１光源及び第２光源を移動方向に並べてあり、第１光源及び第２光源の間を通過する反射光を受光して原稿の画像を読み取り、移動する照射手段の位置に応じて第１光源及び第２光源の光量を個別に制御する。
【００１６】
また本発明においては、照射手段の位置が、原稿の中央に光を照射する位置から所定距離以上ずれた位置である場合は、第１光源及び第２光源の光量を同等にし、照射手段の位置が、原稿の中央に光を照射する位置から第１光源の側へ所定距離よりも小さくずれた位置である場合は、第２光源の光量を第１光源よりも大きくし、照射手段の位置が、原稿の中央に光を照射する位置から第２光源の側へ所定距離よりも小さくずれた位置である場合は、第１光源の光量を第２光源よりも大きくする。これにより、原稿台から浮き上がったブック原稿の中央付近の部分からの反射光を受光手段で効率的に受光することができる。
【００１７】
また本発明においては、照射手段の位置が、原稿の中央に光を照射する位置から第１光源の側へずれた位置である場合は、第２光源の光量を第１光源よりも大きくし、照射手段の位置が、原稿の中央に光を照射する位置から第２光源の側へずれた位置である場合は、第１光源の光量を第２光源よりも大きくする。これにより、原稿台から浮き上がったブック原稿の中央付近の部分からの反射光を受光手段で効率的に受光することができる。
【００１８】
また本発明においては、原稿のサイズを検出し、検出したサイズから、照射手段が原稿の中央に光を照射する位置を求める。これにより、種々のサイズの原稿に対して対応が容易となる。
【００１９】
また本発明においては、原稿の端の部分に光を照射する際に、第１光源及び第２光源の内で原稿の外側寄りにある光源の光量を他方よりも大きくする。これにより、原稿の端の部分に効率的に光が照射される。
【００２０】
更に本発明においては、第１光源及び第２光源の光量の合計を一定に制御する。これにより、原稿台に密着した原稿の部分に照射される光量がほぼ一定となり、また第１光源及び第２光源を発光させるための消費電力がほぼ一定となる。
【発明の効果】
【００２１】
本発明にあっては、原稿がブック原稿又は厚紙原稿の場合であっても、原稿から読み取った画像上で従来では影となっていた部分からの反射光を効率的に受光できるように、消費電力を一定にした上で第１光源及び第２光源の光量比を変化させることができるので、原稿から読み取った画像に影の部分が生成され難くなり、消費電力を増大させること無く画像の品質を向上させることが可能となる等、本発明は優れた効果を奏する。
【発明を実施するための最良の形態】
【００２２】
以下本発明をその実施の形態を示す図面に基づき具体的に説明する。
図１は、本発明の画像形成装置の内部構成を示す構成図である。画像形成装置は、本発明の原稿読取装置である原稿読取部１を備え、原稿読取部１の上側に原稿送り部２を備え、原稿読取部１の下側に画像記録部３を備えている。原稿読取部１と原稿送り部２とは図示しないヒンジによって連結されており、原稿送り部２はヒンジの回動によって原稿読取部１に対して開閉可能となっている。原稿読取部１は、載置された原稿に記録された画像を光学的に読み取る構成となっており、原稿送り部２は、閉じることによって原稿読取部１に載置された原稿を上から押さえるようになっている。
【００２３】
画像記録部３は、露光ユニット３１、現像器３２、感光体ドラム３３、クリーナユニット３４、帯電器３５、中間転写ベルトユニット３６、定着ユニット３７、及び給紙カセット３８を備える。現像器３２、感光体ドラム３３、クリーナユニット３４及び帯電器３５は、ブラック（Ｋ）、シアン（Ｃ）、マゼンタ（Ｍ）及びイエロー（Ｙ）の各色の潜像を形成できるように各色について一個ずつ設けられており、これらによって四個の画像ステーションが構成されている。
【００２４】
露光ユニット３１は、レーザー出射部、レーザー光を掃引するポリゴンミラー、及びレーザー光を各感光体ドラム３３へ導くための反射ミラー等を有するレーザースキャニングユニット（ＬＳＵ）である。帯電器３５は、感光体ドラム３３を所定の電位に均一に帯電させ、露光ユニット３１は、画像データに応じてレーザー光を出射することにより感光体ドラム３３上に静電潜像を形成する。現像器３２は、感光体ドラム３３上に形成された静電潜像に各色のトナーを供給してトナー像に顕像化する。またクリーナユニット３４は、現像・画像転写後における感光体ドラム３３上の表面に残留したトナーを、除去・回収する。
【００２５】
各感光体ドラム３３の上方に配置されている中間転写ベルトユニット３６は、中間転写ベルト、及び各感光体ドラム３３上のトナー像を中間転写ベルトに転写する中間転写ローラ等を有する。中間転写ベルトは、例えば厚さ１００μｍ〜１５０μｍ程度のフィルムを用いて無端状に形成されており、転写ローラは、直径８〜１０ｍｍの金属（例えばステンレス）軸をベースとし、表面が導電性の弾性材（例えばＥＰＤＭ，発泡ウレタン等）により覆われている。中間転写ベルトは全ての感光体ドラム３３に接触する位置に張架して回転駆動され、転写ローラには、トナーの帯電極性（−）とは逆極性（＋）の高電圧の転写バイアスが印加されている。感光体ドラム３３上のトナーは、転写バイアスによって中間転写ベルト上に転写される。各感光体ドラム３３に形成された各色のトナー像を中間転写ベルトに順次的に重ねて転写することによって、中間転写ベルト上に多色のトナー像が形成される。
【００２６】
画像記録部３は、更に、中間転写ベルト上のトナー像を記録用紙に転写する転写ローラ３９を備えている。転写ローラ３９は、中間転写ベルトに接触する位置に設けられており、トナーの帯電極性（−）とは逆極性（＋）の高電圧が印加されている。給紙カセット３８から給紙された記録用紙は、転写ローラ３９の位置まで搬送され、記録用紙に多色のトナー像が転写される。トナー像が転写された記録用紙は、定着ユニット３７まで搬送され、定着ユニット３７は、トナー像が転写された記録用紙を加熱及び加圧して記録用紙上にトナー像を定着させる。トナー像が定着されることにより、記録用紙に画像が記録され、画像が記録された記録用紙は、外部に排出される。なお、以上では画像記録部３がカラー画像を形成する形態を示したが、画像記録部３はモノクロ画像を形成する形態であってもよい。
【００２７】
図２は、原稿読取部１の構成を示す模式的断面図である。原稿読取部１は、透明なガラス板からなる原稿台１８を上面に設けており、原稿台１８上には原稿が伏せて載置される。原稿台１８の下側には、光源ユニット１０が設けられており、光源ユニット１０は、第１光源１１１、第２光源１１２、板状の光源台１２及び第１ミラー１３を備えている。第１光源１１１及び第２光源１１２は、本発明における照射手段に対応する。更に原稿読取部１には、第２ミラー１４、第３ミラー１５、レンズ１６及びイメージセンサ（受光手段）１７が設けられている。イメージセンサ１７は線状にフォトダイオード等の受光素子が並んだライン状のＣＣＤセンサで構成されており、イメージセンサ１７の長手方向を主走査方向とする。なお、イメージセンサ１７はＣＩＳ（Contact Image Sensor）であってもよい。光源ユニット１０、第２ミラー１４及び第３ミラー１５は、主走査方向に交差する副走査方向へ移動可能になっている。図２では、紙面に対して垂直な方向を主走査方向、左右方向を副走査方向としている。
【００２８】
図３は、第１光源１１１、第２光源１１２及び光源台１２の構成を示す模式的平面図である。光源台１２は、耐熱性及び剛性に優れた樹脂で板状に形成されており、主走査方向に沿ってスリット１２１が形成されている。スリット１２１は板状の光源台１２を貫通しており、光源台１２の上側から下側へ光がスリット１２１を通過することができるようになっている。第１光源１１１及び第２光源１１２は、白色光を発光する複数のＬＥＤが主走査方向に線状に並んだＬＥＤアレイで構成されている。線状の第１光源１１１及び第２光源１１２は、光源台１２の上面に設けられており、スリット１２１の両側の位置に、スリット１２１に沿って配置されている。即ち、第１光源１１１及び第２光源１１２は、共に主走査方向を長手方向とし、副走査方向に並べて略平行に配置されている。副走査方向は、本発明における移動方向に対応する。なお、第１光源１１１及び第２光源１１２は、棒状のハロゲンランプ又はキセノンランプであってもよい。
【００２９】
原稿に記録された画像を読み取る場合、原稿は伏せて原稿台１８上に載置され、副走査方向に移動する光源ユニット１０から光が照射されることで、原稿が走査される。第１光源１１１及び第２光源１１２が原稿に対して光を照射しながら、光源ユニット１０は一定の速度で副走査方向へ移動し、第２ミラー１４及び第３ミラー１５は光源ユニット１０の１／２の速度で同じく副走査方向へ移動する。即ち、第１光源１１１及び第２光源１１２は、原稿に対向した位置から原稿へ光を照射し、光を照射しながら原稿と平行に副走査方向に移動する。第１光源１１１及び第２光源１１２から照射されて原稿で反射した光の内、スリット１２１を通過した光は、第１ミラー１３へ入射し、第１ミラー１３、第２ミラー１４及び第３ミラー１５の順に反射する。第３ミラー１５で反射した光はレンズ１６を通ってイメージセンサ１７に結像し、イメージセンサ１７は結像した光を電気的な画像データに変換して出力する。即ち、原稿読取部１は、原稿からの反射光の内、第１光源１１１及び第２光源１１２の間を通過した光をイメージセンサ１７で受光するように構成してある。光源台１２、スリット１２１、第１ミラー１３、第２ミラー１４、第３ミラー１５及びレンズ１６は、本発明における光学系に対応する。イメージセンサ１７が出力する画像データは、原稿から読み取った１ライン分の画像を表すライン単位の画像データであり、イメージセンサ１７は、光源ユニット１０の移動に同期して順次ライン単位の画像データを出力する。原稿の走査によって得られた複数ライン分の画像データからページ単位の画像データが生成される。
【００３０】
通常、原稿が原稿台１８に載置される際に原稿台１８上で原稿の主走査方向及び副走査方向の一端が配置される位置は、予め指定されており、これに伴って、原稿の他端の位置は原稿サイズによって変化する。以下、原稿の端の内、配置される位置が予め指定されている一端を固定端と言い、原稿サイズによって位置が変化する端を可変端と言う。原稿読取部１は、光源ユニット１０を移動させながら原稿の固定端側から可変端側へ順に光を照射することによって、原稿を走査する。また本実施の形態では、副走査方向に並んだ第１光源１１１及び第２光源１１２の内、原稿の副走査方向の両端の内で固定端側に配置されている方を第１光源１１１とする。
【００３１】
図４は、画像形成装置の電気的構成の主要部を示すブロック図である。画像形成装置は、演算を行うＣＰＵ、演算に伴う情報を記憶するＲＡＭ、演算に必要なプログラムを記憶するＲＯＭ等からなる制御部４１を備え、制御部４１は、画像形成装置の各部の動作を制御する処理を行う。制御部４１には、第１光量制御回路１１３を介して第１光源１１１が接続されており、第２光量制御回路１１４を介して第２光源１１２が接続されている。制御部４１、第１光量制御回路１１３及び第２光量制御回路１１４は、本発明における光量制御手段に対応する。
【００３２】
図５は、第１光源１１１、第２光源１１２、第１光量制御回路１１３及び第２光量制御回路１１４の内部構成例を示す回路図である。第１光源１１１及び第２光源１１２は、複数のＬＥＤが直列に接続されて構成されており、第１光量制御回路１１３及び第２光量制御回路１１４は、直列に接続された複数のＬＥＤに供給する電流値を調整することによって第１光源１１１及び第２光源１１２の光量を制御する。制御部４１は制御信号を第１光量制御回路１１３及び第２光量制御回路１１４へ個別に出力し、制御信号はＤ／Ａコンバータによりアナログ信号に変換され、ＬＥＤに印加される電圧が信号に応じて可変され、ＬＥＤに流れる電流値が調整される。制御部４１が第１光量制御回路１１３及び第２光量制御回路１１４の動作を個別に制御し、第１光量制御回路１１３が第１光源１１１の光量を制御し、第２光量制御回路１１４が第２光源１１２の光量を制御することにより、第１光源１１１及び第２光源１１２の光量を個別に制御することが可能となる。
【００３３】
また画像形成装置は、光源ユニット１０、第２ミラー１４及び第３ミラー１５を移動させるためのモータ４２２を備え、モータ４２２はモータ駆動部４２１を介して制御部４１に接続されている。制御部４１は、制御信号をモータ駆動部４２１へ出力し、モータ駆動部４２１はモータ４２２に駆動電圧を印加する。モータ４２２は、駆動電圧の印加により回転し、光源ユニット１０、第２ミラー１４及び第３ミラー１５を副走査方向に往復移動させる。モータ４２２は、例えばステッピングモータで構成される。制御部４１は、モータ駆動部４２１を制御することによって、光源ユニット１０、第２ミラー１４及び第３ミラー１５の位置を制御することができる。制御部４１、モータ駆動部４２１及びモータ４２２は、本発明における移動手段に対応する。また制御部４１は、モータ駆動部４２１へ出力した制御信号に基づいて、モータ４２２に移動される光源ユニット１０の位置を検出する処理を行うことができる。
【００３４】
また制御部４１には、イメージセンサ１７と、原稿台１８に載置された原稿のサイズを検出するためのサイズ検出用センサ４３が接続されている。サイズ検出用センサ４３は、発光素子及び受光素子を組にした複数の光センサからなり、原稿台１８の下側に配置されている。図６は、サイズ検出用センサ４３の構成例を示す模式図であり、原稿台１８の上側から見た図を示している。原稿台１８は平面視で矩形状になっており、原稿台１８に原稿を載置する際には、原稿台１８の所定の隅である固定隅に原稿の一隅を重ねて載置するように定められている。原稿の一隅が固定隅に重なることにより、原稿の主走査方向及び副走査方向の固定端は原稿台１８の一端に重なり、原稿の可変端の位置は原稿のサイズによって異なる。
【００３５】
図６に示す例では、Ｂ４及びＡ３のサイズの原稿は、長手方向を副走査方向にして載置するようになっており、Ｂ５及びＡ４のサイズの原稿は、主走査方向及び副走査方向のいずれを長手方向にしても載置できるようになっている。発光素子Ｅ１及び受光素子Ｒ１でなる光センサ４３１は、長手方向を副走査方向にしたＢ５Ｒサイズの原稿の副走査方向の可変端に対応する位置と、長手方向を副走査方向にしたＡ４Ｒサイズの原稿の副走査方向の可変端に対応する位置との間の位置に配置されている。また発光素子Ｅ２及び受光素子Ｒ２でなる光センサ４３２は、Ａ４Ｒサイズの原稿の主走査方向の可変端に対応する位置と、長手方向を主走査方向にしたＢ５サイズの原稿の主走査方向の可変端に対応する位置との間の位置に配置されている。また発光素子Ｅ３及び受光素子Ｒ３でなる光センサ４３３は、Ｂ５サイズの原稿の主走査方向の可変端に対応する位置と、長手方向を主走査方向にしたＡ４サイズの原稿の主走査方向の可変端に対応する位置との間の位置に配置されている。
【００３６】
各発光素子は、制御部４１からの制御信号に従って、原稿台１８に向けて発光し、原稿台１８上に原稿がある場合は、原稿からの反射光を受光素子が受光し、原稿台１８上に原稿がない場合は、光が原稿で反射しないので、受光素子は受光できない。発光素子Ｅ１が発光した光は、受光素子Ｒ１が受光し、発光素子Ｅ２が発光した光は、受光素子Ｒ２が受光し、発光素子Ｅ３が発光した光は、受光素子Ｒ３が受光する。各受光素子は、受光あり又は受光なしを示す信号を制御部４１へ出力する。制御部４１は、各受光素子での受光結果に基づいて原稿のサイズを検出する。
【００３７】
図７は、原稿のサイズと受光素子での受光結果との対応を示す図表である。図表中の０は、受光素子での受光がないことを示し、図表中の１は、受光素子での受光があることを示す。例えば、全ての受光素子で受光なしの場合は、原稿のサイズはＢ５Ｒとなる。また受光素子Ｒ１で受光あり、受光素子Ｒ２及びＲ３で受光なしの場合は、原稿のサイズはＡ４Ｒとなる。また受光素子Ｒ１及びＲ２で受光あり、受光素子Ｒ３で受光なしの場合は、原稿のサイズはＢ４となる。制御部４１は、図７に示す如き対応表を予め記憶しており、各受光素子での受光結果に対応する原稿のサイズを対応表から特定することによって、原稿のサイズを検出する処理を実行する。なお、制御部４１は、原稿台１８に載置された原稿に対してプレスキャンを実行し、得られた画像中に含まれる原稿の端を抽出し、画像中における端の位置から原稿のサイズを計算する処理を行う形態であってもよい。
【００３８】
また制御部４１には、使用者からの操作を受け付ける操作パネル部４４と、画像データを記憶する記憶部４５と、画像データの生成及び加工等の画像処理を行う画像処理部４６とが接続されている。図８は、操作パネル部４４の例を示す模式図である。操作パネル部４４は、必要な情報を表示して使用者からの操作を受けつけるタッチパネル４４１及びテンキー４４２等から構成されており、使用者の操作により処理の開始指示等の各種の指示を受け付ける。画像処理部４６は、イメージセンサ１７が出力したライン単位の画像データから、ページ単位の画像データを生成する処理を実行する。記憶部４５は、半導体メモリ、ハードディスク又は光ディスク等で構成されており、画像処理部４６が生成した画像データを記憶する。制御部４１、第１光源１１１、第２光源１１２、第１光量制御回路１１３、第２光量制御回路１１４、モータ駆動部４２１、モータ４２２、イメージセンサ１７、サイズ検出用センサ４３、操作パネル部４４、記憶部４５及び画像処理部４６は、本発明の原稿読取装置である原稿読取部１を構成するための構成物に含まれる。更に制御部４１には、画像記録部３が接続されている。画像記録部３は、記憶部４５が記憶する画像データに基づいて画像を形成し、記録用紙に画像を記録する。
【００３９】
次に、以上の構成でなる画像形成装置の動作を説明する。本発明の画像形成装置では、原稿がブック原稿又は厚紙原稿であっても、読み取った画像中に影の部分が生成されることを抑制しながら原稿を読み取る処理を行う。ブック原稿又は厚紙原稿に記録された画像を読み取る場合、使用者は、操作パネル部４４を操作することによって、原稿の種類をブック原稿又は厚紙原稿に指定する指示を入力する。図９は、原稿の種類を指定する指示を入力するための操作パネル部４４での入力画面例を示す模式図である。図中には、タッチパネル４４１に入力画面を表示した例を示しており、入力画面上でブック又は厚紙を指定することにより、原稿の種類を指定する指示が入力される。使用者は、操作パネル部４４に所定の操作を行うことにより、図９に示す如き入力画面を操作パネル部４４に表示させ、指示を入力する。通常の記録用紙に画像が記録された原稿等、原稿がブック原稿及び厚紙原稿のいずれでもない場合は、原稿の種類を指定する指示は入力されない。
【００４０】
使用者は、原稿の一隅を固定隅に重ねて原稿台１８に原稿を載置し、必要に応じて原稿の種類を指定した後、操作パネル部４４を操作して、読取開始の指示を入力する。またこのとき、ブック原稿は、ブック原稿の長手方向が副走査方向になるように原稿台１８に載置される。画像形成装置は、ブック原稿の長手方向が副走査方向になる向きにブック原稿が原稿台１８に載置されるように、使用方法が定められている。
【００４１】
図１０は、ブック原稿が原稿台１８に載置された状態を示す模式図である。長手方向が副走査方向になるように原稿台１８に載置されたブック原稿では、原稿の副走査方向の中央の部分は、綴じ部となり、原稿台１８から浮き上がっている。原稿の中央の部分から端までのある程度の範囲の部分は、原稿台１８から浮き上がっており、更に端に近い部分は、原稿台１８に密着している。原稿台１８から浮き上がる範囲の大きさは、厳密には個々のブック原稿によって異なるものの、ブック原稿の大きさ、厚さ及び堅さ等に応じて定まり、使用が想定されるブック原稿に応じて上限を想定しておくことができる。
【００４２】
本実施の形態においては、原稿は固定端から可変端へ順に走査されるようになっており、光源ユニット１０が原稿に光を照射するために移動する範囲の内、中央位置から第１光源１１１側へ所定距離以上ずれた範囲を第１領域とする。また中央位置から第１光源１１１側へ所定距離よりも小さい距離だけずれた範囲を第２領域とし、中央位置から第２光源１１２側へ所定距離よりも小さい距離だけずれた範囲を第３領域とし、中央位置から第２光源１１２側へ所定距離以上ずれた範囲を第４領域とする。所定距離は、使用が想定されるブック原稿の原稿台１８から浮き上がる範囲が含まれるように十分な大きさを定めた距離である。従って、第１領域及び第４領域に位置した光源ユニット１０は、原稿台１８に密着した原稿の部分に光を照射し、第２領域及び第３領域に位置した光源ユニット１０は、原稿台１８から浮き上がった部分を含む原稿の部分に光を照射するようになっている。
【００４３】
図１１及び図１２は、本発明の画像形成装置が実行する処理の手順を示すフローチャートである。使用者から読取開始の指示を受け付けた場合、画像形成装置は、以下の処理を実行する。画像形成装置の制御部４１は、まず、サイズ検出用センサ４３を動作させることにより、原稿台１８に載置された原稿のサイズを検出する処理を行う（Ｓ１）。即ち、制御部４１は、制御信号を出力して発光素子Ｅ１，Ｅ２，Ｅ３を発光させ、受光素子Ｒ１，Ｒ２，Ｒ３での受光結果を受け付け、各受光素子での受光結果に対応する原稿のサイズを図７に示す如き対応表から特定することによって、原稿サイズを検出する。このようにして、サイズ検出用センサ４３及び制御部４１は、原稿サイズ検出手段として機能する。
【００４４】
制御部４１は、次に、原稿の可変端に光を照射するための光源ユニット１０の位置である端位置を特定する（Ｓ２）。原稿の可変端は、原稿サイズに応じてその位置が定まるので、可変端に光を照射するための光源ユニット１０の位置も定まる。制御部４１は、原稿サイズと光源ユニット１０の端位置とを対応させて予め記憶しており、ステップＳ２では、検出した原稿サイズに対応する端位置を読み出すことにより光源ユニット１０の端位置を特定する。ここで、原稿の可変端に光を照射するための光源ユニット１０の位置とは、可変端に第１光源１１１及び第２光源１１２から照射される光量が最大になる光源ユニット１０の位置であり、図２の例では、可変端から第１光源１１１及び第２光源１１２までの距離が互いに同一になる位置である。
【００４５】
なお、ステップＳ１及びＳ２では、画像形成装置は、他の方法で原稿サイズ及び端位置を求める形態であってもよい。例えば、制御部４１は、原稿台１８に載置された原稿に対してプレスキャンを実行し、得られた画像中に含まれる原稿の端を抽出し、画像中における端の位置から原稿サイズ及び光源ユニット１０の端位置を計算する処理を行う形態であってもよい。また例えば、画像形成装置は、使用者の操作により、原稿サイズを示す情報を操作パネル部４４で受け付けることにより、原稿サイズを求め、原稿サイズに基づいて光源ユニット１０の端位置を特定する形態であってもよい。
【００４６】
制御部４１は、次に、原稿がブック原稿であるか否かを判定する（Ｓ３）。画像形成装置が、原稿の種類をブック原稿に指定する指示を予め受け付けている場合、制御部４１は、原稿がブック原稿であると判定する。原稿がブック原稿である場合は（Ｓ３：ＹＥＳ）、制御部４１は、原稿の副走査方向の中央の部分に光を照射するための光源ユニット１０の位置である中央位置を特定する（Ｓ４）。ステップＳ４では、制御部４１は、原稿の副走査方向のサイズを１／２にした長さを計算し、原稿の固定端に光を照射する光源ユニット１０の位置から、計算した長さだけ可変端へ向けて副走査方向に移動した光源ユニット１０の位置を計算することにより、中央位置を特定する。
【００４７】
なお、ステップＳ３では、画像形成装置は、他の方法で中央位置を求める形態であってもよい。例えば、制御部４１は、原稿サイズに応じた中央位置を示す情報を予め記憶しておき、ステップＳ３では、記憶している情報を読み出すことにより、中央位置を特定する。また例えば、制御部４１は、原稿台１８に載置された原稿に対してプレスキャンを実行し、得られた画像中に含まれる原稿の端を抽出し、画像中における端の位置から原稿の副走査方向の中央の位置を計算し、更に光源ユニット１０の中央位置を計算する処理を行う形態であってもよい。
【００４８】
制御部４１は、次に、図１０に示す如き第１〜第４領域を特定する処理を行う（Ｓ５）。制御部４１は、所定距離の値を予め記憶しており、ステップＳ５では、記憶している所定距離の値を読み出し、中央位置から所定距離だけ第１光源１１１側へずれた位置を計算し、中央位置から所定距離だけ第２光源１１２側へずれた位置を計算し、計算した位置を記憶することにより、第１〜第４領域を特定する。なお、制御部４１は原稿サイズ別に異なる所定距離の夫々を記憶しておき、検出した原稿サイズに応じた所定距離を用いて第１〜第４領域を特定する処理を行ってもよい。
【００４９】
制御部４１は、次に、モータ駆動部４２１を制御することにより、モータ４２２に光源ユニット１０を移動させ、原稿を走査するための開始位置に光源ユニット１０を配置させる（Ｓ６）。原稿を走査するための開始位置は、原稿の固定端に光が照射されるための光源ユニット１０の位置となる。制御部４１は、次に、第１光量制御回路１１３及び第２光量制御回路１１４を制御することにより、第１光源１１１及び第２光源１１２の光量を互いに同一の光量に制御する（Ｓ７）。
【００５０】
制御部４１は、次に、第１光量制御回路１１３及び第２光量制御回路１１４を制御することにより第１光源１１１及び第２光源１１２を発光させ、原稿の走査を開始する（Ｓ８）。ステップＳ８以降は、制御部４１は、モータ駆動部４２１を制御することにより、モータ４２２に光源ユニット１０、第２ミラー１４及び第３ミラー１５を移動させる。モータ４２２は、副走査方向に沿って、原稿の固定端側から可変端側へ向けて光源ユニット１０を移動させ、第２ミラー１４及び第３ミラー１５を１／２の速度で移動させる。発光する第１光源１１１及び第２光源１１２からの光は、原稿台１８を通して原稿に照射され、原稿で反射した反射光は、スリット１２１を通過し、第１ミラー１３、第２ミラー１４及び第３ミラー１５で反射し、イメージセンサ１７で受光される。光源ユニット１０が副走査方向に移動しながら第１光源１１１及び第２光源１１２が発光することにより、原稿に順次光が照射され、原稿が走査される。原稿の走査が開始された直後は、光源ユニット１０は第１領域にあり、第１光源１１１及び第２光源１１２からの光は均等に原稿で反射してイメージセンサ１７に受光される。イメージセンサ１７は、受光した光に応じたライン単位の画像データを順次出力する。
【００５１】
原稿の走査を行う一方で、制御部４１は、モータ駆動部４２１へ出力した制御信号に基づいて、モータ４２２に移動される光源ユニット１０の位置を検出し、光源ユニット１０が第２領域に入ったか否かを判定する（Ｓ９）。光源ユニット１０がまだ第１領域にある場合は（Ｓ９：ＮＯ）、制御部４１は、原稿の走査を行いながら、光源ユニット１０の位置の判定を繰り返す。光源ユニット１０が第２領域に入った場合は（Ｓ９：ＹＥＳ）、制御部４１は、第１光量制御回路１１３及び第２光量制御回路１１４を制御することにより、第１光源１１１及び第２光源１１２の光量の合計を一定にしながら、第２光源１１２の光量を第１光源１１１よりも大きく調整する（Ｓ１０）。例えば、制御部４１は、第１領域における第１光源１１１及び第２光源１１２の光量の比を５：５として、光量の合計が一定になるように、第２領域では、第１光源１１１と第２光源１１２との光量の比を４：６に調整する。
【００５２】
図１３は、第２領域に光源ユニット１０が位置する場合にブック原稿で光が反射する状態を示す模式図である。第２領域に光源ユニット１０が位置する状態では、第１光源１１１及び第２光源１１２からの光は、原稿台１８から浮き上がって図上で右上がりに傾いたブック原稿の表面に照射される。図１３では、ブック原稿で反射する光を実線矢印で示し、反射強度分布を曲線で示している。また、第１光源１１１及び第２光源１１２からの照射光と、反射光の内でスリット１２１を通って第１ミラー１３に入射される反射光とを破線で示している。図１３（ａ）は、第１光源１１１からの光の反射強度分布を示し、図１３（ｂ）は、第２光源１１２からの光の反射強度分布を示す。
【００５３】
ブック原稿に照射された光は原稿表面で拡散反射する。反射光の反射強度分布は、照射光に対する正反射の方向で最も大きくなる。第１光源１１１からの照射光は、第２光源１１２からの光に比べてより浅い角度でブック原稿に照射されるので、スリット１２１を通って第１ミラー１３に入射される反射光の方向は、正反射の方向とは大きく異なる。第２光源１１２はブック原稿の表面に相対しており、第２光源１１２からの照射光は、より深い角度でブック原稿に照射され、スリット１２１を通って第１ミラー１３に入射される反射光の方向は、正反射の方向により近くなる。このため、第１光源１１１及び第２光源１１２が同一の光量で発光したとしても、第１ミラー１３へ入射される光量は、第１光源１１１から入射される光量よりも第２光源１１２から入射される光量の方がより大きくなる。また、第１光源１１１の光量を減少させた場合にイメージセンサ１７が受光する光量の減少量は小さい一方で、第２光源１１２の光量を増大させた場合にイメージセンサ１７が受光する光量の増大量は大きい。従って、光源ユニット１０が第２領域に位置している状態では、第１光源１１１よりも第２光源１１２の光量を大きくすることにより、ブック原稿の原稿台１８から浮き上がった部分からの反射光をイメージセンサ１７で効率的に受光することができる。
【００５４】
引き続き原稿の走査を行う一方で、制御部４１は、モータ駆動部４２１へ出力した制御信号に基づいて、モータ４２２に移動される光源ユニット１０の位置を検出し、光源ユニット１０が第３領域に入ったか否かを判定する（Ｓ１１）。光源ユニット１０がまだ第２領域にある場合は（Ｓ１１：ＮＯ）、制御部４１は、原稿の走査を行いながら、光源ユニット１０の位置の判定を繰り返す。光源ユニット１０が第３領域に入った場合は（Ｓ１１：ＹＥＳ）、制御部４１は、第１光量制御回路１１３及び第２光量制御回路１１４を制御することにより、第１光源１１１及び第２光源１１２の光量の合計を一定にしながら、第１光源１１１の光量を第２光源１１２よりも大きく調整する（Ｓ１２）。例えば、制御部４１は、第１領域における第１光源１１１及び第２光源１１２の光量の比を５：５として、光量の合計が一定になるように、第３領域では、第１光源１１１と第２光源１１２との光量の比を６：４に調整する。
【００５５】
第３領域に光源ユニット１０が位置する状態では、原稿台１８から浮き上がって図１３に示す第２領域の場合とは逆に傾いたブック原稿の表面に照射される。第１光源１１１はブック原稿の表面に相対することになり、第１光源１１１からの照射光は、第２光源１１２からの光に比べてより深い角度でブック原稿に照射され、第２光源１１２からの照射光は、より浅い角度でブック原稿に照射される。このため、第１ミラー１３へ入射される光量は、第１光源１１１から入射される光量の方が第２光源１１２から入射される光量よりも大きくなる。従って、光源ユニット１０が第３領域に位置している状態では、第１光源１１１の光量を第２光源１１２よりも大きくすることにより、ブック原稿の原稿台１８から浮き上がった部分からの反射光をイメージセンサ１７で効率的に受光することができる。
【００５６】
引き続き原稿の走査を行う一方で、制御部４１は、モータ駆動部４２１へ出力した制御信号に基づいて、モータ４２２に移動される光源ユニット１０の位置を検出し、光源ユニット１０が第４領域に入ったか否かを判定する（Ｓ１３）。光源ユニット１０がまだ第３領域にある場合は（Ｓ１３：ＮＯ）、制御部４１は、原稿の走査を行いながら、光源ユニット１０の位置の判定を繰り返す。光源ユニット１０が第４領域に入った場合は（Ｓ１３：ＹＥＳ）、制御部４１は、第１光量制御回路１１３及び第２光量制御回路１１４を制御することにより、第１光源１１１及び第２光源１１２の光量の合計を一定にしながら、第１光源１１１及び第２光源１１２の光量を同一の光量に制御する（Ｓ１４）。
【００５７】
引き続き原稿の走査を行う一方で、制御部４１は、モータ駆動部４２１へ出力した制御信号に基づいて、モータ４２２に移動される光源ユニット１０の位置を検出し、光源ユニット１０が端位置に達したか否かを判定する（Ｓ１５）。光源ユニット１０がまだ端位置に達していない場合は（Ｓ１５：ＮＯ）、制御部４１は、原稿の走査を行いながら、光源ユニット１０の位置の判定を繰り返す。光源ユニット１０が端位置に達した場合は（Ｓ１５：ＹＥＳ）、原稿の可変端を走査した後、制御部４１は、第１光量制御回路１１３及び第２光量制御回路１１４を制御することにより、第１光源１１１及び第２光源１１２を消灯させて、原稿の走査を終了する（Ｓ１６）。制御部４１は、次に、画像処理部４６に、イメージセンサ１７が順次出力した画像データからページ単位の画像データを生成させ（Ｓ１７）、画像記録部３に、画像データに基づいた画像を記録させ（Ｓ１８）、処理を終了する。
【００５８】
ステップＳ３で原稿がブック原稿ではない場合は（Ｓ３：ＮＯ）、制御部４１は、モータ駆動部４２１を制御することにより、モータ４２２に光源ユニット１０を移動させ、原稿を走査するための開始位置に光源ユニット１０を配置させる（Ｓ１９）。制御部４１は、次に、第１光量制御回路１１３及び第２光量制御回路１１４を制御することにより、第１光源１１１及び第２光源１１２の光量を互いに同一の光量に制御し（Ｓ２０）、第１光源１１１及び第２光源１１２を発光させ、原稿の走査を開始する（Ｓ２１）。
【００５９】
原稿の走査を行う一方で、制御部４１は、モータ駆動部４２１へ出力した制御信号に基づいて、モータ４２２に移動される光源ユニット１０の位置を検出し、光源ユニット１０が端位置の近傍領域に入ったか否かを判定する（Ｓ２２）。端位置の近傍領域は、光源ユニット１０が走査中に移動するにあたって端位置に達するまでの直前の領域であり、端位置から第１光源１１１側へ所定範囲だけ設定される領域である。制御部４１は、所定範囲の長さを予め記憶しており、ステップＳ２２では、光源ユニット１０の位置から端位置までの距離が所定範囲の長さ以下である場合に、光源ユニット１０が端位置の近傍領域に入ったと判定する。光源ユニット１０がまだ端位置の近傍領域に入っていない場合は（Ｓ２２：ＮＯ）、制御部４１は、原稿の走査を行いながら、光源ユニット１０の位置の判定を繰り返す。
【００６０】
光源ユニット１０が端位置の近傍領域に入った場合は（Ｓ２２：ＹＥＳ）、制御部４１は、原稿が厚紙原稿であるか否かを判定する（Ｓ２３）。画像形成装置が、原稿の種類を厚紙原稿に指定する指示を予め受け付けている場合、制御部４１は、ステップＳ２３で原稿が厚紙原稿であると判定する。原稿が厚紙原稿ではない場合は（Ｓ２３：ＮＯ）、制御部４１は、処理をステップＳ１５へ進める。原稿が厚紙原稿である場合は（Ｓ２３：ＹＥＳ）、制御部４１は、第１光量制御回路１１３及び第２光量制御回路１１４を制御することにより、第１光源１１１及び第２光源１１２の光量の合計を一定にしながら、第２光源１１２の光量を第１光源１１１よりも大きく制御する（Ｓ２４）。制御部４１は、次に、処理をステップＳ１５へ進める。
【００６１】
図１４は、厚紙原稿の可変端の近傍に光を照射する状態を示す模式図である。図中には光を実線矢印で示している。原稿送り部２は、閉じることによって原稿を上から押さえているものの、原稿が葉書又は名刺等の厚紙原稿である場合は、厚紙原稿の厚みのために、原稿を上から押さえる部材は厚紙原稿よりも外側で原稿台１８から浮き上がることになる。本発明では、光源ユニット１０が端位置の近傍領域にある状態では、厚紙原稿の可変端の近傍に光が照射される。第２光源１１２から照射される光は、可変端に対して原稿の外側寄りから照射されることになり、可変端に光が当たり易くなる。第２光源１１２の光量を第１光源１１１よりも大きくすることにより、厚紙原稿の可変端に効率的に光を照射することが可能となる。
【００６２】
以上詳述した如く、本発明の画像形成装置は、主走査方向を長手方向とする線状の第１光源１１１及び第２光源１１２を副走査方向に並べてあり、第１光源１１１及び第２光源１１２の間を通過する反射光を受光して原稿の画像を読み取り、移動する光源ユニット１０の位置に応じて第１光源１１１及び第２光源１１２の光量を個別に制御する。図１０に示す如き第２領域に光源ユニット１０がある場合に第２光源１１２の光量を第１光源１１１よりも大きくし、第３領域に光源ユニット１０がある場合に第１光源１１１の光量を第２光源１１２よりも大きくすることにより、ブック原稿の原稿台１８から浮き上がった部分からの反射光をイメージセンサ１７で効率的に受光することができる。即ち、イメージセンサ１７は、ブック原稿の原稿台１８に密着できない部分からの反射光を効率的に受光できるので、ブック原稿の原稿台１８に密着できない部分から読み取った画像の部分が他の画像の部分よりも暗くなることが抑制される。従って、本発明の画像形成装置がブック原稿から読み取って形成した画像には、影の部分が生成され難くなる。
【００６３】
また本発明の画像形成装置では、第１光源１１１及び第２光源１１２の光量を制御する際に、第１光源１１１及び第２光源１１２の光量の合計が一定になるように制御する。第１光源１１１の光量と第２光源１１２の光量との比が変化したとしても、光量の合計が一定であるので、原稿台１８に密着した原稿の部分に照射される光量は変化しない。従って、本発明の画像形成装置が原稿から読み取って形成した画像には、他の部分よりも明るすぎる部分が含まれることがない。また本発明では、第１光源１１１及び第２光源１１２の光量の合計がほぼ一定であるので、第１光源１１１及び第２光源１１２を発光させるために必要な電力の合計もほぼ一定となり、画像形成装置の消費電力が増大することがない。
【００６４】
また本発明の画像形成装置では、厚紙原稿の端の部分に光を照射する際に、第１光源１１１及び第２光源１１２の内で厚紙原稿の外側寄りに配置された光源の光量を他方よりも大きくすることにより、厚紙原稿の端の部分に効率的に光を照射する。イメージセンサ１７は、効率的に光が照射された厚紙原稿の端の部分からの反射光を受光するので、厚紙原稿の端の部分から読み取った画像の部分が他の画像の部分よりも暗くなることが抑制される。従って、本発明の画像形成装置がブック原稿から読み取って形成した画像には、原稿の端に起因する影の部分が生成され難くなる。以上の如く、本発明においては、消費電力を増大させること無く、原稿から読み取った画像の品質を向上させることが可能となる。
【００６５】
なお、本発明の画像形成装置は、ブック原稿に記録された画像を読み取る際に、光源ユニット１０の位置を第１〜第４領域に分けて光量制御を行うのではなく、光源ユニット１０の位置が中央位置よりも第１光源１１１側へずれた場合と光源ユニット１０の位置が中央位置よりも第２光源１１２側へずれた場合とに分けて光量制御を行う形態であってもよい。この形態では、制御部４１は、光源ユニット１０の位置が、中央位置よりも第１光源１１１側へずれた位置、即ち第１領域又は第２領域にある場合に、第２光源１１２の光量を第１光源１１１よりも大きく制御し、光源ユニット１０の位置が、中央位置よりも第２光源１１２側へずれた位置、即ち第３領域又は第４領域にある場合に、第１光源１１１の光量を第２光源１１２よりも大きく制御する。具体的には、制御部４１は、ステップＳ７で第２光源１１２の光量を第１光源１１１よりも大きく調整し、ステップＳ９、Ｓ１０、Ｓ１３及びＳ１４を省略した処理を行う。この形態では、画像形成装置が行う処理がより簡略化される。この形態でも、イメージセンサ１７は、ブック原稿の原稿台１８に密着できない部分からの反射光を効率的に受光できるので、原稿から読み取った画像に影が発生することを抑制することができる。またこの形態でも、第１光源１１１及び第２光源１１２の光量の合計を一定に制御することにより、原稿台１８に密着した原稿の部分に照射される光量を一定にし、原稿から読み取った画像に他の部分よりも明るすぎる部分が含まれることを抑制することができる。従って、この形態においても、原稿から読み取った画像の品質を向上させることが可能となる。
【００６６】
また本実施の形態においては、原稿台１８に載置される原稿の固定端の位置が予め指定されており、原稿の固定端から可変端へ走査を行う形態を示したが、本発明はこの形態に限るものではない。例えば、本発明の画像形成装置は、原稿台１８に載置された原稿に対してプレスキャンを実行し、プレスキャンにより得られた画像中から走査すべき範囲を設定し、原稿の設定した範囲内を走査する形態であってもよい。この形態においても、光源ユニット１０の位置に基づいて第１光源１１１及び第２光源１１２の光量を制御することにより、本発明を実現することができる。
【００６７】
また画像形成装置は、ブック原稿が原稿台１８に載置される場合に、ブック原稿の一隅を固定隅に重ねて載置するのではなく、他の位置にブック原稿が載置される形態であってもよい。この場合、固定端は存在しない。例えば、画像形成装置は、原稿台１８上の予め定められた位置にブック原稿の副走査方向の中央の部分を合わせた上でブック原稿を載置される形態であってもよい。この形態では、光源ユニット１０の中央位置は予め定められた位置となり、制御部４１は、中央位置を示す情報を予め記憶しておき、記憶している情報を読み出すことにより、中央位置を特定する。またこの形態の画像形成装置は、プレスキャンを実行するか又は使用者の操作による指定を受け付けることにより、原稿サイズ及び原稿の副走査方向の両端の位置を特定し、原稿の一方の端から他方の端まで副走査方向に走査する処理を行う。また例えば、本発明の画像形成装置は、原稿が原稿台１８の任意の位置に載置された場合においても、プレスキャンを実行して原稿の位置を特定し、位置を特定した原稿に対して走査を行う形態であってもよい。これらの固定端が存在しない形態の場合は、画像形成装置は、原稿の副走査方向の両端について端位置を特定し、両端について影の発生を抑制する処理を行う。
【００６８】
また本実施の形態においては、原稿の端に起因する影の部分の発生を抑制する処理は、厚紙原稿を走査する場合について行う形態を示したが、本発明は厚紙原稿以外の原稿を走査する場合についても原稿の端に起因する影の部分の発生を抑制する処理を行う形態であってもよい。例えば、本発明の画像形成装置は、ブック原稿を走査する場合にも、原稿の端に起因する影の部分の発生を抑制する処理を行う形態であってもよい。
【００６９】
また、以上の本実施の形態においては、本発明の原稿読取装置が画像形成装置に組み込まれた形態を示したが、本発明の原稿読取装置は、これに限るものではなく、スキャナ装置であってもよく、またファクシミリ装置又は複合機に組み込まれた形態であってもよい。
【図面の簡単な説明】
【００７０】
【図１】本発明の画像形成装置の内部構成を示す構成図である。
【図２】原稿読取部の構成を示す模式的断面図である。
【図３】第１光源、第２光源及び光源台の構成を示す模式的平面図である。
【図４】画像形成装置の電気的構成の主要部を示すブロック図である。
【図５】第１光源、第２光源、第１光量制御回路及び第２光量制御回路の内部構成例を示す回路図である。
【図６】サイズ検出用センサの構成例を示す模式図であり、原稿台の上側から見た図を示している。
【図７】原稿のサイズと受光素子での受光結果との対応を示す図表である。
【図８】操作パネル部の例を示す模式図である。
【図９】原稿の種類を指定する指示を入力するための操作パネル部での入力画面例を示す模式図である。
【図１０】ブック原稿が原稿台に載置された状態を示す模式図である。
【図１１】本発明の画像形成装置が実行する処理の手順を示すフローチャートである。
【図１２】本発明の画像形成装置が実行する処理の手順を示すフローチャートである。
【図１３】第２領域に光源ユニットが位置する場合にブック原稿で光が反射する状態を示す模式図である。
【図１４】厚紙原稿の可変端の近傍に光を照射する状態を示す模式図である。
【図１５】従来の原稿読取装置の構成を示す模式的断面図である。
【図１６】ブック原稿を扱う従来の原稿読取装置を示す模式図である。
【図１７】ブック原稿を読み取った従来の画像を示す模式図である。
【符号の説明】
【００７１】
１  原稿読取部（原稿読取装置）
１０  光源ユニット
１１１  第１光源
１１２  第２光源
１１３  第１光量制御回路
１１４  第２光量制御回路
１２  光源台
１２１  スリット
１３  第１ミラー
１４  第２ミラー
１５  第３ミラー
１６  レンズ
１７  イメージセンサ（受光手段）
２  原稿送り部
３  画像記録部
４１  制御部
４２１  モータ駆動部
４２２  モータ
４３  サイズ検出用センサ
４４  操作パネル部
【図１】
0004568773.tif 000002
【図２】
0004568773.tif 000003
【図３】
0004568773.tif 000004
【図４】
0004568773.tif 000005
【図５】
0004568773.tif 000006
【図６】
0004568773.tif 000007
【図７】
0004568773.tif 000008
【図８】
0004568773.tif 000009
【図９】
0004568773.tif 000010
【図１０】
0004568773.tif 000011
【図１１】
0004568773.tif 000012
【図１２】
0004568773.tif 000013
【図１３】
0004568773.tif 000014
【図１４】
0004568773.tif 000015
【図１５】
0004568773.tif 000016
【図１６】
0004568773.tif 000017
【図１７】
0004568773.tif 000018